【手続補正書】
【提出日】平成24年1月31日(2012.1.31)
【手続補正１】
【補正対象書類名】特許請求の範囲
【補正対象項目名】全文
【補正方法】変更
【補正の内容】
【特許請求の範囲】
【請求項１】
Ｎ−メチル−ピロリドン含量が低く、または好ましくは存在せず、コロイド的に不安定な粒子またはしばしば沈殿物もしくは粗粒子と呼ばれる材料の含量が低い、水系芳香族ポリウレタン−アクリル分散物（および方法）であって、
（１）ａ）２０〜６０％の少なくとも１種の芳香族ポリイソシアネートと、
ｂ）任意の時点でプレポリマーに添加される１０〜９０％のビニルモノマーと、
ｃ）平均してＭＷ＞５００ｇ／ｍｏｌである２０〜６０％のイオン化性基を保持していない少なくとも１種のイソシアネート反応性ポリオールと、
ｄ）ｂ）またはｃ）またはこれらの組合せのいずれかに可溶化された、イオン化性または潜在的イオン化性水分散基としての、およびイオン化性または潜在的イオン化性水分散基を含有する活性水素基を保持し、任意選択で溶媒または可塑剤もまた含有する、０〜１２％のジオール、ポリオール（複数可）またはこれらの組合せと、
を含む成分の反応から形成されるイソシアネート末端プレポリマーの反応により得られる、水系芳香族ポリウレタン−アクリル分散物（および方法）。
【請求項２】
前記ポリウレタンが、添加されているプレポリマーの重量を基準として２〜２０％のエチレングリコールモノアルキルエーテルまたはプロピレングリコールモノアルキルエーテルを含有する水に分散された、請求項１に記載の分散物。
【請求項３】
前記エチレングリコールモノアルキルエーテル含有溶媒が、ジエチレングリコールＣ１〜Ｃ４モノアルキルエーテルである、請求項２に記載の分散物。
【請求項４】
前記ビニルモノマーが、任意の時点でビニルポリマーに重合され、ポリウレタン−アクリル分散物中のビニルポリマーに対するポリウレタンの比率が、９０：１０から１０：９０の範囲内である、請求項１および２に記載の水性分散物組成物。
【請求項５】
ポリケトンオリゴマーもまた含有する、請求項１または２に記載の分散物。
【請求項６】
前記ビニルモノマーが、任意の時点でビニルポリマーに重合され、前記分散物が、前記イソシアネート末端プレポリマー、ビニルポリマーまたはこれらの組合せにおいてケトン官能性部分を含有する、請求項１または２に記載の分散物。
【請求項７】
前記ビニルモノマーが、任意の時点でビニルポリマーに重合され、前記分散物が、前記イソシアネート末端プレポリマー、ポリビニルポリマーまたはこれらの組合せにおいてケトン官能性部分を含有し、追加的なポリケトンオリゴマー成分もまた含有する、請求項１または２に記載の分散物。
【請求項８】
ジ−またはポリ−ヒドラジド官能性分子もまた含有する、請求項５、６または７のいずれかに記載の分散物。
【請求項９】
自動酸化架橋性基等の第２の架橋性官能基の少なくとも１つもまた含有する、請求項５、６、７または８のいずれかに記載の分散物。
【請求項１０】
前記ポリケトンオリゴマーが、エポキシ化植物油およびレブリン酸および／またはピルビン酸の反応生成物である、請求項５に記載の分散物。
【請求項１１】
前記ポリウレタンを形成するために使用される全ポリイソシアネートの少なくとも７５モルパーセントが、前記少なくとも１種の芳香族ポリイソシアネートである、請求項１、２、３または５に記載の分散物。
【請求項１２】
前記少なくとも１種の芳香族ポリイソシアネートが、前記ポリウレタンを形成するために使用される全ポリイソシアネートの少なくとも９５モルパーセントである、請求項１１に記載の分散物。
【請求項１３】
前記少なくとも１種の芳香族ポリイソシアネートが、ジフェニルメタンジイソシアネートおよび／またはトルエンジイソシアネートを含む、請求項１１または１２に記載の分散物。
【請求項１４】
ジメチロールブタン酸またはジメチロールプロパン酸を含むイオン化性水分散基および任意選択で他の水分散基を含有する、少なくとも１ｗｔ％のジオール、ポリオール（複数可）またはこれらの組合せを含む、請求項１または２に記載の分散物。
【請求項１５】
請求項１（ｃ）における前記ポリオールが、ａ）プロピレングリコールポリオールと、ｂ）ポリエステルポリオール、ポリカーボネートポリオールおよびポリブタジエンポリオールからなる群から選択される別のポリオールとの組合せであり、ｂ）該別のポリオールに対するａ）プロピレングリコールポリオールの比率は、ａ）およびｂ）からの全ポリオールを基準として１０：９０から９０：１０の範囲内である、前述の請求項に記載の水性分散物組成物。
【手続補正２】
【補正対象書類名】明細書
【補正対象項目名】００１５
【補正方法】変更
【補正の内容】
【００１５】
Ｎ−メチル−ピロリドンおよび同様の溶媒の含量が低い、または好ましくは存在しない、水系芳香族ポリウレタン−アクリル分散物が形成される。これらの分散物は非常に清浄である（コロイド的に不安定な粒子またはしばしば沈殿物もしくは粗粒子と呼ばれる材料の含量が低い）。これらの分散物は一般に、ａ）２０〜６０％の少なくとも１種の芳香族ポリイソシアネートと、ｂ）任意の時点でプレポリマーに添加される１０〜９０％のビニルモノマーと、ｃ）平均してＭＷ＞５００ｇ／ｍｏｌである２０〜６０％のイオン化性基を保持していない少なくとも１種のイソシアネート反応性ポリオールと、ｄ）ｂ）またはｃ）のいずれかまたはこれらの組合せに可溶化された、イオン化性もしくは潜在的イオン化性水分散基としての、およびこれを含有する活性水素基を保持する、０〜１２％のジオール、ポリオール（複数可）またはこれらの組合せと、を含む成分の反応から形成されるイソシアネート末端プレポリマーの反応により得られる。ｂ）またはｃ）への可溶化から利益を得るイオン化性または潜在的イオン化性水分散基の例には、ジメチロールブタン酸およびジメチロールプロパン酸が含まれる。一実施形態において、組成物は、水相に分散されているプレポリマーの重量を基準として約２〜２０％のエチレングリコールモノアルキルエーテルまたはプロピレングリコールモノアルキルエーテルをさらに含む。一実施形態において、前記ビニルモノマーは、ポリ（ビニルモノマー）とポリウレタンとの混成物が形成されるように任意の時点でビニルポリマーに重合される。一実施形態において、ポリウレタンまたは分散物は、例えばカルボニル含有有機酸とエポキシ含有またはエポキシ官能化天然油との反応から誘導されるポリケトンオリゴマーをさらに含む。
本発明は、例えば以下の項目を提供する。
（項目１）
Ｎ−メチル−ピロリドン含量が低く、または好ましくは存在せず、コロイド的に不安定な粒子またはしばしば沈殿物もしくは粗粒子と呼ばれる材料の含量が低い、水系芳香族ポリウレタン−アクリル分散物（および方法）であって、
（１）ａ）２０〜６０％の少なくとも１種の芳香族ポリイソシアネートと、
ｂ）任意の時点でプレポリマーに添加される１０〜９０％のビニルモノマーと、
ｃ）平均してＭＷ＞５００ｇ／ｍｏｌである２０〜６０％のイオン化性基を保持していない少なくとも１種のイソシアネート反応性ポリオールと、
ｄ）ｂ）またはｃ）またはこれらの組合せのいずれかに可溶化された、イオン化性または潜在的イオン化性水分散基としての、およびイオン化性または潜在的イオン化性水分散基を含有する活性水素基を保持し、任意選択で溶媒または可塑剤もまた含有する、０〜１２％のジオール、ポリオール（複数可）またはこれらの組合せと、
を含む成分の反応から形成されるイソシアネート末端プレポリマーの反応により得られる、水系芳香族ポリウレタン−アクリル分散物（および方法）。
（項目２）
前記ポリウレタンが、添加されているプレポリマーの重量を基準として２〜２０％のエチレングリコールモノアルキルエーテルまたはプロピレングリコールモノアルキルエーテルを含有する水に分散された、項目１に記載の分散物。
（項目３）
前記エチレングリコールモノアルキルエーテル含有溶媒が、ジエチレングリコールＣ１〜Ｃ４モノアルキルエーテルである、項目２に記載の分散物。
（項目４）
前記ビニルモノマーが、任意の時点でビニルポリマーに重合され、ポリウレタン−アクリル分散物中のビニルポリマーに対するポリウレタンの比率が、９０：１０から１０：９０の範囲内である、項目１および２に記載の水性分散物組成物。
（項目５）
ポリケトンオリゴマーもまた含有する、項目１または２に記載の分散物。
（項目６）
前記ビニルモノマーが、任意の時点でビニルポリマーに重合され、前記分散物が、前記イソシアネート末端プレポリマー、ビニルポリマーまたはこれらの組合せにおいてケトン官能性部分を含有する、項目１または２に記載の分散物。
（項目７）
前記ビニルモノマーが、任意の時点でビニルポリマーに重合され、前記分散物が、前記イソシアネート末端プレポリマー、ポリビニルポリマーまたはこれらの組合せにおいてケトン官能性部分を含有し、追加的なポリケトンオリゴマー成分もまた含有する、項目１または２に記載の分散物。
（項目８）
ジ−またはポリ−ヒドラジド官能性分子もまた含有する、項目５、６または７のいずれかに記載の分散物。
（項目９）
自動酸化架橋性基等の第２の架橋性官能基の少なくとも１つもまた含有する、項目５、６、７または８のいずれかに記載の分散物。
（項目１０）
前記ポリケトンオリゴマーが、エポキシ化植物油およびレブリン酸および／またはピルビン酸の反応生成物である、項目５に記載の分散物。
（項目１１）
前記ポリウレタンを形成するために使用される全ポリイソシアネートの少なくとも７５モルパーセントが、前記少なくとも１種の芳香族ポリイソシアネートである、項目１、２、３または５に記載の分散物。
（項目１２）
前記少なくとも１種の芳香族ポリイソシアネートが、前記ポリウレタンを形成するために使用される全ポリイソシアネートの少なくとも９５モルパーセントである、項目１１に記載の分散物。
（項目１３）
前記少なくとも１種の芳香族ポリイソシアネートが、ジフェニルメタンジイソシアネートおよび／またはトルエンジイソシアネートを含む、項目１１または１２に記載の分散物。
（項目１４）
ジメチロールブタン酸またはジメチロールプロパン酸を含むイオン化性水分散基および任意選択で他の水分散基を含有する、少なくとも１ｗｔ％のジオール、ポリオール（複数可）またはこれらの組合せを含む、項目１または２に記載の分散物。
（項目１５）
前記イオン化性水分散基が、ジメチロールブタン酸を含む、項目１４に記載の分散物。
（項目１６）
項目１（ｃ）における前記ポリオールが、ａ）プロピレングリコールポリオールと、ｂ）ポリエステルポリオール、ポリカーボネートポリオールおよびポリブタジエンポリオールからなる群から選択される別のポリオールとの組合せであり、ｂ）該別のポリオールに対するａ）プロピレングリコールポリオールの比率は、ａ）およびｂ）からの全ポリオールを基準として１０：９０から９０：１０の範囲内である、前述の項目に記載の水性分散物組成物。
（項目１７）
前述の項目のいずれかに記載の分散物を含有するコーティングまたは接着剤。
（項目１８）
前述の項目のいずれかに記載の水性組成物から得られるコーティングを有する基材。